(57)【要約】      （修正有）【課題】  大型のバトン装置に連繋されるなどするフラットケーブルの収納のための引き込みや利用のための送り出しに向くようにする。【解決手段】  フラットケーブルＣを折り畳み状態に収容させる函体１０と、この函体１０の上端に保持されてフラットケーブルＣの函体１０内への引き込みおよびフラットケーブルＣの函体１０内からの送り出しを可能にする駆動手段２０とを有してなり、函体１０内に導入されるフラットケーブルＣの一端が函体１０外に臨在され、フラットケーブルＣの他端が駆動手段２０を介して函体１０外に延在される。【選択図】        図２
2006320098.tif 000002
【特許請求の範囲】
【請求項１】
フラットケーブルを折り畳み状態に収容させる函体と、この函体の上端に保持されてフラットケーブルの函体内への引き込みおよびフラットケーブルの函体内からの送り出しを可能にする駆動手段とを有してなり、函体内に導入されるフラットケーブルの一端が函体外に臨在されると共に、フラットケーブルの他端が駆動手段を介して函体外に延在されてなることを特徴とする給電装置
【請求項２】
駆動手段が適宜の駆動源と、この駆動源で駆動されて隣接するフラットケーブルを移送させる駆動ローラと、この駆動ローラに対向して駆動ローラとの間に臨在するフラットケーブルを駆動ローラに押し付ける押し付けローラとを有してなる請求項１に記載の給電装置
【請求項３】
函体がフラットケーブルの平置きを許容する函厚を有しながらフラットケーブルの折り畳み状態での収容を許容する函幅を有すると共に内底に底上げ部を有してなる請求項１に記載の給電装置
【請求項４】
函体外に臨在されるフラットケーブルの一端が電源に分離可能に接続されると共に駆動手段を介して函体外に延在されるフラットケーブルの他端が舞台の上方のバトン装置に分離可能に連繋されてなる請求項１に記載の給電装置
【請求項５】
函体が舞台の奥壁側と客席側とを結ぶ軸線方向に沿って延在される専用通路上に配在されると共にこの専用通路に沿って移動可能とされてなる請求項１に記載の給電装置
【請求項６】
専用通路が舞台を画成する袖壁に上下方向に複層となるように配在されてなる請求項５に記載の給電装置
【発明の詳細な説明】
【技術分野】
【０００１】
この発明は、給電装置に関し、特に、給電ケーブルたるフラットケーブルの引き込みおよび送り出しを可能にする給電装置の改良に関する。
【背景技術】
【０００２】
通電用の給電ケーブルを収納などさせる給電装置としては、従来から、種々の提案があるが、その中で、たとえば、特許文献１に開示されている給電装置にあっては、適宜の手段で回転駆動されるいわゆるドラム体に給電ケーブルたる線状ケーブルを連繋させると共にこのドラム体を駆動させて線状ケーブルを巻き取り、あるいは、この巻き取られた線状ケーブルをドラム体から引き出すことを可能にするとしている。
【０００３】
このとき、この給電装置にあって、ドラム体は、舞台の奥壁などに定着されており、線状ケーブルの一端は、音響反射板装置が装備する走行用の駆動源に接続され、また、線状ケーブルの他端は、ドラム体に連繋されると共に、舞台の奥壁に設けられる端子部に電気的に接続されるとしている。
【０００４】
それゆえ、この特許文献１に開示の給電装置によれば、ドラム体から線状ケーブルを引き出すことで、たとえば、舞台の奥側に格納されている音響反射板を舞台上で客席側に向かって移動させ得ることになり、また、ドラム体で線状ケーブルを巻き取ることで、舞台の客席側にある音響反射板を舞台上で舞台の奥側の格納位置に戻し得ることになる。
【特許文献１】特開２００３−１５０１７２号公報（段落００１１，同００１２，同００２０，同００２１，図１）
【発明の開示】
【発明が解決しようとする課題】
【０００５】
しかしながら、上記した特許文献１に開示の給電装置にあっては、給電ケーブルが線状ケーブルに比較して単位重量が大きくなるフラットケーブルからなる場合には、このフラットケーブルの巻き取りおよび引き出しにこれを利用するとしても最適な利用状態を実現できないと指摘される可能性がある。
【０００６】
すなわち、たとえば、劇場などにおける舞台の上方の天井近くにはバトン装置が配在されるが、このバトン装置が舞台の幅一杯になるほどにフレーム体などで大型に形成されている場合には、このバトン装置に多数の照明器具や音響器具などが吊持されることからして、これら照明器具などに接続される給電ケーブルが線状ケーブルとされて多数本配在されるとするよりは、多数本の線状ケーブルを並列状態にいわゆる束ねてなるフラットケーブルが利用される方が好ましいと言い得る。
【０００７】
このことからして、上記のいわゆる大型のバトン装置にはフラットケーブルを接続させることになるが、このとき、このフラットケーブルを連繋させる給電装置にあっては、フラットケーブルをドラム体に巻き取る際にフラットケーブルに過度の負荷を作用させることになる危惧がある。
【０００８】
すなわち、特許文献１に開示のドラム体を有してなる給電装置でフラットケーブルを、たとえば、巻き取る場合には、フラットケーブルの自重によるテンションが直接フラットケーブルに作用するから、いわゆる不使用時には、このフラットケーブルがドラム体にいわばきつく巻き取られることになり、フラットケーブルにいたずらな負荷をかけることになる。
【０００９】
そして、上記のようにして巻き取られたフラットケーブルがドラム体の言わば逆転で引き出されることになるとき、フラットケーブルは、それまでドラム体に撒きつけられていた力が解放されることで、必要以上に解きほぐされることになり、不必要に引き出されることになる危惧がある。
【００１０】
この発明は、このような現状を鑑みて創案されたものであって、その目的とするところは、大型のバトン装置に連繋されるなどするフラットケーブルの引き込みや送り出しに向き、その汎用性の向上を期待するのに最適となる給電装置を提供することである。
【課題を解決するための手段】
【００１１】
上記した目的を達成するために、この発明によるバトン装置の構成を、基本的には、フラットケーブルを折り畳み状態に収容させる函体と、この函体の上端に保持されてフラットケーブルの函体内への引き込みおよびフラットケーブルの函体内からの送り出しを可能にする駆動手段とを有してなり、函体内に導入されるフラットケーブルの一端が函体外に臨在されると共に、フラットケーブルの他端が駆動手段を介して函体外に延在されてなるとする。
【発明の効果】
【００１２】
それゆえ、この発明にあっては、フラットケーブルを函体内に収容するには、駆動手段の駆動によることになり、このとき、函体外に延在されているフラットケーブルの自重によるテンションは、函体内に収容されるフラットケーブルには作用しなくなり、したがって、函体内にあるフラットケーブルにはいたずらに負荷が作用しないことになる。
【００１３】
そして、この発明にあっては、フラットケーブルを函体内から送り出すときにも、駆動手段の駆動によることになり、このとき、フラットケーブルの自重によるテンションは、駆動手段には作用するが、フラットケーブルには作用しないから、函体内にあるフラットケーブルは、いたずらに負荷を受けないことになる。
【００１４】
その結果、この発明によれば、いわゆる不使用時に函体内に収容されているフラットケーブルにはいたずらに負荷が作用しなくなり、バトン装置などに連繋されるフラットケーブルにおける恒久的な耐久性を保障しながらこのフラットケーブルの引き込みや送り出しに向くことになる。
【発明を実施するための最良の形態】
【００１５】
以下に、図示した実施形態に基づいて、この発明を説明するが、図１に示すように、この発明による給電装置１は、たとえば、劇場などの舞台Ｓの上方に配在されるバトン装置２への給電を実現するとしている。
【００１６】
ちなみに、上記の舞台Ｓにあって、舞台床Ｆは、図示するところでは、その主だったスペースが複数の迫り舞台装置Ｓ１，Ｓ２，Ｓ３で構成されるとしているが、この舞台床Ｆの構成については、この発明の主要部ではないので自由な構成が選択されて良い。
【００１７】
また、上記の舞台Ｓは、図中で左右側となる袖壁Ｗで脇側が画成されるとしており、また、図中に符号Ｗ１で示す奥壁で奥側が画成され、さらに、図示しないが、舞台Ｓの手前側が客席側と画成されるとしている。
【００１８】
なお、図示するところでは、給電装置１を配在させる後述の専用通路４が袖壁Ｗに連設されてなるとするから、この袖壁Ｗは、図示するところでは、言わば必須の構成とされているが、この舞台Ｓを画成する袖壁Ｗおよび奥壁Ｗ１については、この発明の基本的な構成からすれば、必須の要素ではないので、舞台Ｓの画成については自由な構成が選択されて良く、のみならず、舞台Ｓ自体についても必須の構成ではないと言い得る。
【００１９】
つぎに、バトン装置２であるが、図示するところでは、フレーム構造に形成されていて、図中の破線で示す簀の子３から適宜の吊り部材３ａで垂下されるとしており、この吊り部材３ａが簀の子３上に配在された図示しない適宜の昇降手段によって昇降されることで舞台Ｓの上方で昇降するとしている。
【００２０】
そして、このバトン装置２は、所定の機械的強度を有していて、図示しないが、多数の照明器具や音響器具類を吊持するとし、この発明の給電装置は、このバトン装置２にフラットケーブルＣ（図２参照）を連繋することで、上記の照明器具や音響器具類にいわゆる通電するとしている。
【００２１】
ちなみに、図示しないが、このバトン装置２は、いわゆる単管からなる旧来のバトンを多数本吊持するとしても良いことはもちろんであり、また、舞台Ｓの構成の如何によっては、音響反射板が吊持されたたり、幕類が吊持されたりしても良いことはもちろんである。
【００２２】
ところで、この発明の給電装置１は、上記の劇場におけるいわゆる舞台Ｓ周りに配在されるとするとき、これが、すなわち、具体的には、舞台Ｓの奥壁Ｗ１側と客席側とを結ぶ軸線方向に沿って延在される専用通路４上に配在されると共にこの専用通路４に沿って移動可能とされるとしている。
【００２３】
このとき、この専用通路４は、図示するところでは、舞台Ｓを画成する袖壁Ｗに上下方向に複層となるように配在されてなるとし、また、図示するところで、給電装置１が舞台Ｓを挟むいわゆる片側の専用通路４上にのみ配在されるとしているが、この発明が意図するところからすれば、これに代えて、図示しないが、専用通路４が単層とされても良く、また、給電装置１が舞台Ｓを挟む両側の専用通路４上に配在されるとしても良いことはもちろんである。
【００２４】
以上の前提の下に、この発明による給電装置１について説明するが、この給電装置１は、図２に示すように、フラットケーブルＣを折り畳み状態に収容させる函体１０と、この函体１０の上端に保持されてフラットケーブルＣの函体１０内への引き込みおよびフラットケーブルＣの函体１０内からの送り出しを可能にする駆動手段２０とを有してなるとしている。
【００２５】
このとき、函体１０内のフラットケーブルＣにあっては、その一端がこの函体１０の下端部分を貫通するようにして函体１０外に臨在されて電源Ｅ（図示せずして符号のみで示す）に分離可能に接続されるとしている。
【００２６】
このように、函体１０外に臨在されるフラットケーブルＣの一端が電源Ｅに分離可能に接続されるとするのは、後述するように、この給電装置１が専用通路４上で移動して、その設置場所を選択できるとすることによる。
【００２７】
一方、このフラットケーブルＣにあっては、その他端が後述する駆動手段２０を介して函体１０外に延在されて舞台Ｓの上方のバトン装置２に分離可能に連繋されるとしている。
【００２８】
このとき、函体１０外に延在されるフラットケーブルＣの他端が、図示するところでは、バトン装置２に接続されるとするのはもちろんであるが、このバトン装置２に分離可能に接続されるとするのは、第一に、バトン装置２が昇降するなどで、この給電装置１が配在されている専用通路４と高さを異にすることがあることによる。
【００２９】
そして、第二には、専用通路４が複層とされ、また、この給電装置１がいわゆる両側の専用通路４上に配在されるなどして、バトン装置２以外の装置類にも接続される可能性を高めることによる。
【００３０】
なお、上記したところでは、フラットケーブルＣは、いわゆる一枚帯状に形成されてなることを前提にしているが、この発明が意図するところからすれば、図示しないが、複数枚のフラットケーブルＣが並列されて一枚帯状の外観を呈する構成とされていても良いことはもちろんである。
【００３１】
以上のように形成されたフラットケーブルＣの収容を可能にする函体１０は、結果的にフラットケーブルＣを折り畳み状態に収納し得るように形成されていれば足りるが、このとき、フラットケーブルＣがいわゆる平置き状態のまま積層されるように折り畳まれることで、最小限度の容積の占有に止るので、図示するところでは、フラットケーブルＣの平置きを許容する函厚（符示せず）を有しながらフラットケーブルＣの折り畳み状態での収容を許容する函幅（図中で左右方向幅）を有するように形成されるとしている。
【００３２】
その一方で、この函体１０は、内底部１０ａのほぼ中央部に底上げ部１０ｂを有してなるとしており、こうすることで、この函体１０内におけるフラットケーブルＣにおける無理のない折り畳み状態を維持できるとしている。
【００３３】
すなわち、仮に、この函体１０が上記の底上げ部１０ｂを有しない場合には、この函体１０内に収容されて折り畳まれるフラットケーブルＣにあっては、函体１０内の中央部分ではフラットケーブルＣがいわゆる上下に隙間なくして重なるようになるのに対して、函体１０内の両側部分ではフラットケーブルＣが折り畳まれるからいわゆる上下に隙間を有した状態で重なることになる。
【００３４】
その結果、函体１０内に充分な長さのフラットケーブルＣが収容された状況を想定すると、フラットケーブルＣは、全体的には、両側が持ち上がり中央が沈み込んだＶ字状の態様に折り畳まれて収納されることになり、したがって、フラットケーブルＣにいたずらな負荷を作用させることになることが危惧されることになる。
【００３５】
このことからすると、図示するように、函体１０が内底部１０ａのほぼ中央部に底上げ部１０ｂを有してなるとすることで、上記の事態を招来させず、函体１０内に収納されるフラットケーブルＣを無理のない折り畳み状態に維持できることになる。
【００３６】
のみならず、このことは、すなわち、函体１０内に収納されているフラットケーブルＣが無理のない折り畳み状態に維持されていることは、このフラットケーブルＣを函体１０外に引き出すときにもいたずらな負荷がフラットケーブルＣに作用しないことを意味し、フラットケーブルＣの函体１０内からの円滑な引き出しを許容する利点を生むことにもなる。
【００３７】
なお、前記したところであるが、フラットケーブルＣが一枚帯状に形成されずして、複数枚のフラットケーブルＣを並列させて一枚帯状の外観を呈する場合には、図示しないが、上記の函体１０内に並列される各フラットケーブルＣを強制的に分離する隔壁板が配在されるとして、いわゆる絡まる不具合を解消するとしても良い。
【００３８】
以上のように形成された函体１０は、この発明の給電装置１にあって、専用通路４上を移動し得るとしており、このとき、専用通路４は、上面に軸線方向に沿って、すなわち、舞台Ｓの奥壁Ｗ１側と客席側とを結ぶ軸線方向に沿って延在されるレール４ａを有しており、このレール４ａ上を函体１０が移動するとしている。
【００３９】
ちなみに、レール４ａは、いわゆるＩ型鋼からなり、下端のフランジ部分を専用通路４の上面に一体的に連設すると共に、上端のフランジ部分をレール部分に設定している。
【００４０】
それに対して、函体１０は、その下端のブラケット１０ｃに転動ローラ１０ｄとこれに下方から対向する補助ローラ１０ｅを保持しており、転動ローラ１０ｄをレール４ａ上に載置することで転動ローラ１０ｄの転動、すなわち、函体１０の移動を可能にし、このとき、補助ローラ１０ｅが転動ローラ１０ｄとの間にレール４ａにおける上端側のフランジ部分を挟むようにして、転動ローラ１０ｄのレール４ａ上からの浮き上がりを阻止するとしている。
【００４１】
ちなみに、ブラケット１０ｃは、間にレール４ａを臨在させるようにいわゆる一対とされ、一対となるそれぞれが転動ローラ１０ｄおよび補助ローラ１０ｅを保持する態勢にして、函体１０が図中の左右方向となるいわゆる横方向に脱線することをあらかじめ阻止するとしている。
【００４２】
また、図示しないが、多くの場合に、上記のブラケット１０ｃとレール４ａとの間には、ストッパ構造が配在されてなるとし、また、このストッパ構造は、この函体１０を移動させる作業者の手作業によって、いわゆるオンオフが制御されるとするであろう。
【００４３】
なお、上記の函体１０の移動については、図示するところでは、作業者による手作業で、すなわち、作業者が押したり引いたりして移動させるとしており、たとえば、自走構造を採用することで、この給電装置１におけるいたずらな重量の増大化やコスト高の招来を阻止し得るように配慮している。
【００４４】
以上からすれば、上記の専用通路４は、所定の機能たるレール４ａの配在を可能にする限りには、任意の構成が選択されて良く、図示するところでは、袖壁Ｗに一体に形成されてなるとしているが、これに代えて、図示しないが、たとえば、網目状に形成されて袖壁Ｗに一体的に連設される通路からなるとしても良く、このとき、この専用通路４がいわゆる作業者の通行をも許容するように形成されるとしても良いことはもちろんである。
【００４５】
上記のように形成された函体１０の上端に設けられる駆動手段２０は、適宜の駆動源２１と、この駆動源２１で駆動されて隣接するフラットケーブルＣを移送させる駆動ローラ２２と、この駆動ローラ２２に対向して駆動ローラ２２との間に臨在するフラットケーブルＣを駆動ローラ２２に押し付ける押し付けローラ２３とを有してなる。
【００４６】
このとき、駆動源２１としては、図示しないが、たとえば、減速機を有する両方向モータなどからなり、この両方向モータの駆動については、多くの場合に、たとえば、この函体１０を移動させる作業者が手作業でいわゆるオンオフ制御させるとするであろう。
【００４７】
つぎに、駆動ローラ２２は、フラットケーブルＣを函体１０内から引き出し、また、フラットケーブルＣを函体１０内に送り込むように機能するもので、その限りには、任意の構造が選択されて良いが、フラットケーブルＣの移送を実現する上からは、たとえば、表面が滑り抵抗を大きくするように構成されるであろう。
【００４８】
押し付けローラ２３は、上記の駆動ローラ２２に水平方向から近隣してこの駆動ローラ２２との間にフラットケーブルＣを挟み込むようにして、このフラットケーブルＣが駆動ローラ２２の表面で滑らないようにするもので、フラットケーブルＣを駆動ローラ２２の表面に押し付けるようにする手段としては任意の構成が選択されて良い。
【００４９】
それゆえ、この駆動手段２０にあっては、駆動ローラ２２と押し付けローラ２３との間にフラットケーブルＣを挟み込みながら駆動ローラ２２の駆動でフラットケーブルＣを函体１０内から引き出し、あるいは、フラットケーブルＣを函体１０内に送り込むようにするから、函体１０内に収容されるフラットケーブルＣにはいたずらに負荷が作用しなくなり、フラットケーブルＣの劣化を速める危惧がなくなる。
【００５０】
なお、フラットケーブルＣが複数枚のフラットケーブルＣを並列させて一枚帯状の外観を呈する構成とされる場合には、上記の駆動ローラ２２および押し付けローラ２３は、この複数枚のフラットケーブルＣを並列させて一枚帯状の外観を呈する構成に適応し得るように、図示しないが、たとえば、鍔付きの駆動ローラ２２および鍔付きの押し付けローラ２３の構造に形成されていて、複数枚のフラットケーブルＣその移動時に重なり合うようになることを防止し得るとするのが好ましい。
【００５１】
以上のようの構成されたこの発明による給電装置１にあっては、いわゆる不使用時に函体１０内に収容されているフラットケーブルＣにはいたずらに負荷が作用しなくなり、バトン装置２などに連繋されるフラットケーブルＣにおける恒久的な耐久性を保障しながらこのフラットケーブルＣの函体１０内への引き込みや函体１０外への送り出しに向くことになる。
【図面の簡単な説明】
【００５２】
【図１】この発明による給電装置が利用される劇場の舞台部分を示す概略縦断面図である。
【図２】この発明による給電装置の一実施形態を示す概略正面図である。
【符号の説明】
【００５３】
１  給電装置
２  バトン装置
４  専用通路
１０  函体
１０ａ  内底部
１０ｂ  底上げ部
２０  駆動手段
２１  駆動源
２２  駆動ローラ
２３  押し付けローラ
Ｃ  フラットケーブル
Ｓ  舞台
Ｗ  袖壁
Ｗ１  奥壁
【図１】
2006320098.tif 000003
【図２】
2006320098.tif 000004